(57)【要約】【課題】電子機器等の本体と取付部品との取り付け状態を極めて簡単な操作で強固にかつ確実に保持することができるとともに、取付部品の取り外し作業を簡単かつ迅速に行なうことができる部品取付構造を提供する。【解決手段】穴等からなる係合部３４を設けた電子機器の本体３１と、この本体３１の係合部３４へ嵌合する爪状の係止部３７を形成するとともに、係止部３７の係合部３４への嵌合を解除する方向へ反り返った形状に形成した弾性フック部３６を設けた取付部品（フロントパネル３２）と、弾性フック部３６の反り返りを押さえ込み係止部３７と係合部３４との嵌合状態を保持する操作部品（エスカッション３３）とを設ける。【選択図】  図１
2005223105.tif 000002
【特許請求の範囲】
【請求項１】
係合部を設けた本体と、
本体の係合部へ嵌合する係止部を形成するとともに、この係止部の係合部への嵌合を解除する方向へ反り返った形状に形成した弾性フック部を設けた取付部品と、
弾性フック部の反り返りを押さえ込み係止部と係合部との嵌合状態を保持する操作部品と
を備えたことを特徴とする部品取付構造。
【請求項２】
係止部を設けた本体と、
本体の係止部へ嵌合する係合部を形成するとともに、この係合部の係止部への嵌合を解除する方向へ反り返った形状に形成した弾性フック部を設けた取付部品と、
弾性フック部の反り返りを押さえ込み係合部と係止部との嵌合状態を保持する操作部品と
を備えたことを特徴とする部品取付構造。
【請求項３】
前記弾性フック部は、係止部と係合部との嵌合寸法以上の反り返り形状を有することを特徴とする請求項１または２記載の部品取付構造。
【請求項４】
前記本体と前記取付部品は、電子機器の本体とそのフロントパネルであり、また、前記操作部品は、電子機器の本体とフロントパネルとの取り付け部へ配置するエスカッションで構成したことを特徴とする請求項１または２記載の部品取付構造。
【発明の詳細な説明】
【技術分野】
【０００１】
本発明は、電子機器等において、取付部品を本体へ着脱可能に取り付ける部品取付構造に関する。
【背景技術】
【０００２】
電子機器等の筐体構造には、フロントパネルを電子機器の本体へ着脱可能に取り付ける構造のものがある。このような構造の電子機器の筐体では、その多くが製造コスト削減のため、ネジ止めを行なわずにフロントパネルを機器本体へ取り付けるように構成している。
【０００３】
従来、フロントパネルを電子機器の本体へ着脱可能に取り付ける方法としては、例えば、図４（ａ）および（ｂ）に示すように、樹脂からなるフロントパネル１の各端縁に延設された係合枠２に、弾性フック部３を設けるとともに、弾性フック部３に形成した爪部４を嵌合する係合穴６を本体５側に設け、フロントパネル１を本体５へ取り付けるように構成していた。
【０００４】
また、フロントパネル１を本体５から取り外す場合は、例えば、フロントパネル１と本体５との隙間（図示しない）からマイナスドライバの先端等を差し込んで弾性フック部３の爪部４を押し上げる。この操作により、弾性フック部３の爪部４は、本体５の係合穴６から外れ、フロントパネル１を本体５から取り外すことができるように構成していた。
【０００５】
しかし、上記従来の部品取付構造にあっては、フロントパネル１を本体５から取り外す場合、弾性フック部３の爪部４を押し上げ、その爪部４と本体５側の係合穴６との嵌合状態を解除する必要があり、解除操作に手間がかかるという問題点があった。
【０００６】
また、爪部４の押し上げによる嵌合の解除の状態は、フロントパネル１を本体５から取り外す以前に中止すると、弾性フック部３の弾性により、再び嵌合状態に復帰してしまうため、フロントパネル１を本体５から完全に取り外すまでは、嵌合解除の状態を保持する必要があった。したがって、このような部品取付構造を複数箇所に設けた場合は、嵌合解除の状態を複数箇所において同時に保持する必要があり、このような状態を保持することは非常に困難であり、取り外し作業を効率よく簡単に行なうことができないという問題点があった。
【０００７】
上記従来の部品取付構造の問題点である爪部４と係合穴６との嵌合状態を解除する方法を改善するために提案された従来の部品取付構造としては、フロントパネルに、コ字状溝と、連結部を経てコ字状溝の溝先端に臨む１組の切り溝、および電子機器の本体に設けた爪部に嵌合する穴を有するラッチ板を設けたものがある（例えば、特許文献１参照）。
【０００８】
このように構成した従来の部品取付構造において、フロントパネルを本体から取り外す場合は、ラッチ板の前端部分をマイナスドライバの先端等を用いて押し下げると、連結部（ヒンジ部）が捩れ、ラッチ板の後端部分が起き上がって、ラッチ板に設けた係合穴から本体に設けた爪部が外れ、フロントパネルを本体から取り外すことができるように構成し、爪部とラッチ板の係合穴との嵌合状態を容易に解除できるようにしていた。
【０００９】
しかし、この従来の部品取付構造は、ラッチ板の押し下げ操作による嵌合解除の状態は、取付部品を本体から取り外す以前に中止すると、再び嵌合状態に復帰してしまうため、取付部品を完全に取り外すまでは、嵌合解除の状態を保持する必要があった。したがって、この従来の部品取付構造は、特に、複数箇所へ設けた場合、嵌合解除の状態を複数箇所において同時に保持する必要があり、このような状態を保持することは非常に困難であり、取り外し作業を効率よく行なうことができないという問題点があった。
【００１０】
そこで、本願出願人は、上記従来の部品取付構造が有する問題点を改善し、取付部品と本体との嵌合解除の状態を極めて簡単な操作で保持することが可能な部品取付構造を特願２００３−３９２４９１号として提案している。
【００１１】
この本願出願人が先に提案した部品取付構造は、図５と図６の（ａ）および（ｂ）に示すように構成している。この図５と図６の（ａ）および（ｂ）に示す部品取付構造は、電子機器の本体１１の筐体壁面１２に係合穴１３を設けるとともに、本体１１の前面に取り付けられるフロントパネル１４の各端縁において直行するように延設された係合枠１５に連結部１６を介して開口部１７に至る１組の切り溝１８を設けている。さらに、この係合枠１５に設けた１組の切り溝１８間に弾性フック部１９を設けている。
【００１２】
この弾性フック部１９の先端部には、本体１１の係合穴１３に嵌合する爪部２０を形成している。また、弾性フック部１９の後部には、湾曲した弾性変形部２１を形成している。この弾性変形部２１は、図６（ａ）で示すように、フロントパネル１４が本体１１に取り付けた状態、すなわち、弾性フック部１９の爪部２０が本体１１の係合穴１３へ嵌合して係止している状態の時は、湾曲の向きが上向きの凸形状となるように構成している。
【００１３】
また、弾性変形部２１の凸形状の湾曲部分を押し下げ操作した時は、図６（ｂ）に示すように、凹形状に弾性変形するように構成している。この弾性変形部２１の凹形状への弾性変形は、押し下げ操作を終了しても、その凹形状の状態を保持するように構成している。
【００１４】
このように、弾性変形部２１の湾曲した部分が凹形状に弾性変形した時、その弾性変形部２１の凸形状から凹形状への弾性変形動作にともない連結部１６が捩れて、図６（ｂ）に示すように、弾性フック部１９の先端部は起き上がり、爪部２０と係合穴１３との嵌合状態を解除することができ、フロントパネル１４を本体１１から簡単に取り外すことができるように構成している。
【００１５】
また、この嵌合解除の状態は、弾性変形部２１を凹状に弾性変形させた状態を継続させる限り嵌合解除の状態を保持し続けることができるため、特に、複数箇所に、同じ構造の部品取付構造を設けた場合は、嵌合解除の状態を全ての箇所の部品取付構造に保持させることができ、フロントパネル１４の取り外し操作を効率よく簡単に行なうことができるように改善している。
【特許文献１】特開平１１−２６１２５３号公報（第２―４頁、第５図）
【発明の開示】
【発明が解決しようとする課題】
【００１６】
上記本願出願人が先に提案した部品取付構造にあっては、その部品取付構造を複数箇所に設けた場合、弾性変形部２１を１つ１つ押し下げ操作して爪部２０と係合穴１３との嵌合状態を解除する必要があり、取り外し作業を効率よく行なうことができないという問題点があった。
【００１７】
また、爪部２０と係合穴１３との嵌合状態を解除する場合、弾性変形部２１の湾曲した部分を凸形状から凹形状に弾性変形させ、この弾性変形動作にともない連結部１６が捩れて、図６（ｂ）に示すように、弾性フック部１９の先端部が起き上がり、爪部２０と係合穴１３との嵌合状態を解除する構成を採っているため、連結部１６に常時、大きなストレスがかかり、連結部分１６が破損する虞があった。さらに、強い衝撃が爪部２０の先端に加わると、爪部２０と係合穴１３との嵌合状態が外れる可能性があった。
【００１８】
本発明は、上記部品取付構造が有するこのような問題点に鑑みてなされたものであり、その目的とするところは、電子機器等の本体と取付部品との取り付け状態を極めて簡単な操作で強固にかつ確実に保持することができるとともに、取付部品の取り外し作業を簡単かつ迅速に行なうことができる部品取付構造を提供しようとするものである。
【課題を解決するための手段】
【００１９】
上記の目的を達成するために、本発明の部品取付構造においては、係合部を設けた本体と、この本体の係合部へ嵌合する係止部を形成するとともに、係止部の係合部への嵌合を解除する方向へ反り返った形状に形成した弾性フック部を設けた取付部品と、弾性フック部の反り返りを押さえ込み係止部と係合部との嵌合状態を保持する操作部品とを備えたものである。
【００２０】
また、本発明の部品取付構造は、係止部を設けた本体と、この本体の係止部へ嵌合する係合部を形成するとともに、係合部の係止部への嵌合を解除する方向へ反り返った形状に形成した弾性フック部を設けた取付部品と、弾性フック部の反り返りを押さえ込み係合部と係止部との嵌合状態を保持する操作部品とによって構成することもできる。
【００２１】
また、上記弾性フック部は、係止部と係合部との嵌合寸法以上の反り返り形状を有するように構成している。
【００２２】
さらに、上記の本体と取付部品は、電子機器の本体とそのフロントパネルであり、また、上記の操作部品は、電子機器の本体とフロントパネルとの取り付け部へ配置するエスカッションで構成することが効果的である。
【発明の効果】
【００２３】
本発明の部品取付構造は、その部品取付構造を複数箇所に設けた場合においても、全ての係合部と係止部との嵌合、または嵌合解除の操作を操作部品によって同時に行なうことが可能となり、取り付けまたは取り外しの作業を効率よく行なうことができる。
【００２４】
また、構造自体も極めて単純に構成することができるため、耐久性の問題を解決することができる。さらに、係合部と係止部との嵌合状態は、操作部品によって、完全に外側から押さえ込む構造であるため、瞬間に加わる衝撃等の外力が加わっても、係合部と係止部との嵌合が外れることがなく、本体から取り付け部品が外れないことを保証することができる。
【発明を実施するための最良の形態】
【００２５】
係合部を設けた本体と、この本体の係合部へ嵌合する係止部を形成するとともに、係止部の係合部への嵌合を解除する方向へ反り返った形状に形成した弾性フック部を設けた取付部品と、弾性フック部の反り返りを押さえ込み係止部と係合部との嵌合状態を保持する操作部品とを設ける。
【実施例１】
【００２６】
本発明に係る部品取付構造を電子機器のフロントパネルの取付構造として実施した場合の第１の実施例について、図１および図２の（ａ）から（ｃ）にもとづき、説明する。
図１は、電子機器の本体へフロントパネルを取り付けた状態を示す要部の断面図である。図２の（ａ）から（ｃ）は、フロントパネルを電子機器の本体へ取り付ける手順を示した要部の断面図である。
【００２７】
図１および図２の（ａ）から（ｃ）に示すように、この電子機器の筐体は、金属あるいは樹脂からなる本体３１と、一定の弾性を有する樹脂で構成されているフロントパネル３２および本体３１とフロントパネル３２との取り付け部へ嵌め込むエスカッション３３とで構成している。
【００２８】
本体３１は、その本体３１を構成する外周壁面に穴からなる係合部３４を設けている。フロントパネル３２は、各端縁に延設された係合枠３５に弾性フック部３６を突出させて設けている。
【００２９】
この弾性フック部３６は、先端部の下側に係合部３４へ嵌合する爪状の係止部３７を形成するとともに、図２の（ａ）および（ｂ）に示すように、係止部３７の係合部３４への嵌合を常に解除する方向へ反り返った形状に形成している。この弾性フック部３６の反り返り状態は、係合部３４と係止部３７とが嵌合する寸法以上に反り返った形状を保持するように形成している。
【００３０】
また、フロントパネル３２を本体３１へ取り付ける部分に嵌め込むエスカッション３３は、嵌め込む際に、弾性フック部３６の反り返りを押さえ込み、弾性フック部３６の係止部３７を係合部３４へ強制的に嵌合させる操作部品としての働きをするように構成している。
【００３１】
上記のように構成することによって、フロントパネル３２を本体３１へ取り付ける場合は、図２の（ａ）に示すように、本体３１とフロントパネル３２およびエスカッション３３を用意し、まず、図２の（ｂ）のように、フロントパネル３２を本体３１の前面へ押し当て、次に、エスカッション３３をフロントパネル３２の前面側から嵌め込む。
【００３２】
このエスカッション３３の嵌め込みにともなう本体３１方向へのスライド操作にしたがって、反り返った弾性フック部３６は、次第に押し下げられ、図２の（ｃ）に示すように、係止部３７が係合部３４へ強制的に嵌合される。この時、エスカッション３３は、弾性フック部３６を上方向から完全に押さえ込んだ状態、すなわち、係止部３７の係合部３４への嵌合が保持された状態となり、フロントパネル３２は、本体３１へ固定される。
【００３３】
このようなエスカッション３３の嵌め込みにともなうスライド動作によって、複数箇所に設けた弾性フック部３６を同時に押さえ込むことが可能となり、複数箇所の係止部３７を係合部３４へ同時に嵌合させることができる。
【００３４】
フロントパネル３２を本体３１から取り外す場合には、エスカッション３３を外方向（本体３１から取り外す方向）へスライドさせると、弾性フック部３６は、エスカッション３３による押さえ込み状態が解かれ、弾性フック部３６自体保有する弾性により、再び、反り返って係止部３７と係合部３４との嵌合を解除し、フロントパネル３２を本体３１から取り外すことができる。したがって、上記のように構成したフロントパネルの取付構造を複数箇所に設けた場合においても、エスカッション３３の押さえ込み解除によって、複数箇所に設けた弾性フック部３６は、同時に反り返り、係止部３７と係合部３４との嵌合を複数箇所同時に解除することかできる。
【００３５】
以上説明したように、この第１の実施例の部品取付構造は、その部品取付構造を複数箇所に設けた場合においても、全ての係合部３４と係止部３７との嵌合、または嵌合解除の操作をエスカッション３３によって同時に行なうことが可能となり、取り付けまたは取り外しの作業を効率よく行なうことができる。
【００３６】
また、構造自体も極めて単純に構成することができるため、耐久性の問題を解決することができる。さらに、係合部３４と係止部３７との嵌合状態は、エスカッション３３によって、完全に外側から押さえ込む構造であるため、瞬間に加わる衝撃等の外力が加わっても、係合部３４と係止部３７との嵌合が外れることがなく、本体３１からフロントパネル３２が外れないことを保証することができる。
【実施例２】
【００３７】
次に、本発明に係る部品取付構造を電子機器のフロントパネルの取付構造として実施した場合の第２の実施例について、図３の（ａ）および（ｂ）にもとづいて説明する。
図３の（ａ）は、電子機器の本体とフロントパネルとを示す要部の斜視図である。図３の（ｂ）は、フロントパネルを電子機器の本体へ取り付けた状態を示した要部の断面図である。
【００３８】
この第２の実施例の特長とするところは、第１の実施例における本体３１側に設けた係合部３４とフロントパネル３２側に設けた弾性フック部３６の係止部３７とを逆にして設けたことにある。すなわち、図３の（ａ）に示すように、電子機器の本体４１側に係止部４４を設けるとともに、フロントパネル４２の弾性フック４６側に係合部４７を設けたことにある。
【００３９】
図３の（ａ）および（ｂ）に示すように、この電子機器の筐体は、金属あるいは樹脂からなる本体４１と、一定の弾性を有する樹脂で構成されているフロントパネル４２およびエスカッション４３とで構成している。本体４１は、その本体４１を構成する外周壁面に切り起こして形成した突起からなる係止部４４を設けている。フロントパネル４２は、各端縁に延設された係合枠４５に弾性フック部４６を突出させて設けている。
【００４０】
この弾性フック部４６は、先端部に係止部４４を嵌合する穴からなる係合部４７を形成するとともに、図３の（ａ）に示すように、係止部４４と係合部４７との嵌合を常に解除する方向へ反り返った形状に形成している。この弾性フック部４６の反り返り状態は、係合部４７と係止部４４とが嵌合する寸法以上に反り返った形状を保持するように形成している。
【００４１】
また、フロントパネル４２を本体４１へ取り付ける部分に嵌め込むエスカッション４３は、嵌め込む際に、弾性フック部４６の反り返りを押さえ込み、弾性フック部４６の係合部４７を係止部４４へ強制的に嵌合させる操作部品としての働きをするように構成している。
【００４２】
上記のように構成することによって、フロントパネル４２を本体４１へ取り付ける場合は、フロントパネル４２を本体４１の前面へ押し当て、次に、エスカッション４３をフロントパネル４２の前面側から嵌め込む。このエスカッション４３の嵌め込みにともなう本体４１方向へのスライド動作にしたがって、反り返った弾性フック部４６は、次第に押し下げられ、係合部４７が係止部４４へ強制的に嵌合される。この時、エスカッション４３は、図３の（ｂ）に示すように、弾性フック部４６を上方向から完全に押さえ込んだ状態、すなわち、係合部４７の係止部４４への嵌合が保持された状態となり、フロントパネル４２は、本体４１へ固定される。
【００４３】
このようなエスカッション４３の嵌め込みにともなうスライド動作によって、複数箇所に設けた弾性フック部４６を同時に押さえ込むことが可能となり、複数箇所の係合部４７を係止部４４へ同時に嵌合させることができる。
【００４４】
フロントパネル４２を本体４１から取り外す場合には、エスカッション４３を外方向（本体４１から取り外す方向）へスライドさせると、弾性フック部４６は、エスカッション４３による押さえ込み状態が解かれ、弾性フック部４６自体保有する弾性により、再び、反り返って係合部４７と係止部４４との嵌合を解除し、フロントパネル４２を本体４１から取り外すことができる。したがって、上記のように構成したフロントパネルの取付構造を複数箇所に設けた場合においても、エスカッション４３の押さえ込み解除によって、複数箇所に設けた弾性フック部４６は、同時に反り返り、係合部４７と係止部４４との嵌合を複数箇所同時に解除することかできる。
【００４５】
以上説明したように、この第２の実施例の部品取付構造は、その部品取付構造を複数箇所に設けた場合においても、全ての係合部４７と係止部４４との嵌合、または嵌合解除の操作をエスカッション４３によって同時に行なうことが可能となり、取り付けまたは取り外しの作業を効率よく行なうことができる。
【００４６】
また、構造自体も極めて単純に構成することができるため、耐久性の問題を解決することができる。さらに、係合部４７と係止部４４との嵌合状態は、エスカッション４３によって、完全に外側から押さえ込む構造であるため、瞬間に加わる衝撃等の外力が加わっても、係合部４７と係止部４４との嵌合が外れることがなく、本体４１からフロントパネル４２が外れないことを保証することができる。
【図面の簡単な説明】
【００４７】
【図１】本発明に係る部品取付構造の第１の実施例を示す要部の断面図である。
【図２】図１の第１の実施例におけるフロントパネルの取り付け手順を示す要部の断面図である。
【図３】本発明に係る部品取付構造の第２の実施例を示す説明図である。
【図４】従来の部品取付構造を示す説明図である。
【図５】従来の部品取付構造を示す斜視図である。
【図６】従来の部品取付構造の取り付けおよび取り外し動作を説明する要部の断面図である。
【符号の説明】
【００４８】
３１      本体
３２      フロントパネル
３３      エスカッション
３４      係合部
３５      係合枠
３６      弾性フック部
４７      係止部
４１      本体
４２      フロントパネル
４３      エスカッション
４４      係止部
４５      係合枠
４６      弾性フック部
４７      係合部
【図１】
2005223105.tif 000003
【図２】
2005223105.tif 000004
【図３】
2005223105.tif 000005
【図４】
2005223105.tif 000006
【図５】
2005223105.tif 000007
【図６】
2005223105.tif 000008